(57)【要約】【課題】塵芥を塵芥投入口に誘導する塵芥案内板を塵芥がこぼれにくく、かつコンパクトに格納可能なものにする。【解決手段】塵芥収集箱４と、この塵芥収集箱４に連設され、塵芥投入口６から投入された塵芥を塵芥収集箱４に積み込む塵芥積込装置が内蔵された塵芥投入箱５とを備えた塵芥収集車１において、塵芥投入口６の下端に、内側面８ａが隠れるように起立した起立位置と内側面８ａが上方を向くように開いた伏倒位置Ｂとに起伏切換可能に設けた塵芥案内板８を設け、この塵芥案内板８の車幅方向両縁部にそれぞれ格納状態と使用状態Ｄとに対応可能に設けた一対のサイドガード１０を設ける。【選択図】図３
2019055841.tif 000002
【特許請求の範囲】
【請求項１】
塵芥収集箱と、該塵芥収集箱に連設され、塵芥投入口から投入された塵芥を該塵芥収集箱に積み込む塵芥積込装置が内蔵された塵芥投入箱とを備えた塵芥収集車において、
上記塵芥投入口の下端に、内側面が隠れるように起立した起立位置又は内側面が上方を向くように開いた伏倒位置に起伏切換可能に設けた塵芥案内板と、
上記塵芥案内板の車幅方向両縁部にそれぞれ上記塵芥案内板の内側面に沿う格納状態又は該塵芥案内板の内側面上に起立する使用状態に切換可能に設けられた一対のサイドガードとを備えている
ことを特徴とする塵芥収集車。
【請求項２】
請求項１に記載の塵芥収集車において、
上記サイドガードは、上記塵芥案内板の内側面に沿って延びる回動軸を有し、
上記回動軸は、上記サイドガードを上記塵芥案内板に対して上記格納状態及び上記使用状態のいずれかにロック可能な係合部を備えている
ことを特徴とする塵芥収集車。
【請求項３】
請求項２に記載の塵芥収集車において、
上記塵芥投入口を開閉すると共に閉状態で起立位置の塵芥案内板の先端部近傍に位置する開閉扉を備え、
上記塵芥案内板の自由端側の外側面には、上記塵芥積込装置を緊急停止させる緊急停止部材が設けられており、該緊急停止部材は、上記起立位置において該塵芥案内板の先端部に後方突出状に取り付けられて、該起立位置及び上記伏倒位置のいずれにおいても兼用可能に構成されている
ことを特徴とする塵芥収集車。
【発明の詳細な説明】
【技術分野】
【０００１】
本発明は、塵芥収集箱と、この塵芥収集箱に連設され、塵芥投入口から投入された塵芥を塵芥収集箱に積み込む塵芥積込装置が内蔵された塵芥投入箱とを備えた塵芥収集車に関する。
【背景技術】
【０００２】
従来より、例えば特許文献１のように、塵芥収集車の塵芥投入口の下端に回動可能に塵芥案内板を設けることが行われている。この塵芥案内板では、塵芥案内板の先端部を塵芥投入口から後方へ突出させるようにしてその天面（内側面）が略水平状態になるまで回動させた位置を伏倒位置とする。塵芥収集の現場では、塵芥案内板を伏倒位置にして、塵芥を塵芥投入口へ誘導するようにしている。
【０００３】
しかし、この塵芥の積込作業時に、塵芥案内板の左右側方からこぼれ落ちる塵芥が少なからず存在するという問題がある。
【０００４】
一方、特許文献２のように、塵芥案内板となるコンベアに平面視コ字状のガイド板を設けるものも存在する。
【先行技術文献】
【特許文献】
【０００５】
【特許文献１】特開２０１５−１８９５７５号公報
【特許文献２】実開昭６４−３２８０８号公報
【発明の概要】
【発明が解決しようとする課題】
【０００６】
しかしながら、上記特許文献２の塵芥案内板は、その不使用時においてコ字状ガイド板を塵芥収集車の後方に向けて垂直に吊り下げる状態となっていた。そのため、不使用時に見映えが悪く、塵芥収集車の全長も長くなる構造であった。
【０００７】
本発明は、かかる点に鑑みてなされたものであり、その目的とするところは、塵芥を塵芥投入口に誘導する塵芥案内板を塵芥がこぼれにくく、かつコンパクトに格納可能なものにすることにある。
【課題を解決するための手段】
【０００８】
上記の目的を達成するために、この発明では、塵芥案内板に格納可能な一対のサイドガードを設けた。
【０００９】
具体的には、第１の発明では、塵芥収集箱と、該塵芥収集箱に連設され、塵芥投入口から投入された塵芥を該塵芥収集箱に積み込む塵芥積込装置が内蔵された塵芥投入箱とを備えた塵芥収集車を前提とし、
上記塵芥収集車は、
上記塵芥投入口の下端に、内側面が隠れるように起立した起立位置又は内側面が上方を向くように開いた伏倒位置に起伏切換可能に設けた塵芥案内板と、
上記塵芥案内板の車幅方向両縁部にそれぞれ上記塵芥案内板の内側面に沿う格納状態又は該塵芥案内板の内側面上に起立する使用状態に切換可能に設けられた一対のサイドガードとを備えている。
【００１０】
上記の構成によると、塵芥案内板を、その内側面が上方を向くように開いた伏倒位置において、その内側面の車幅方向両縁部に一対のサイドガードを使用状態に起立させることにより、塵芥案内板に投入された塵芥が塵芥案内板の内側面上を滑っても、サイドガードに当たって車幅方向両縁部からこぼれ落ちない。このサイドガードは特に、伏倒位置で先端部が塵芥投入口から大きく後方に突出するように形成された塵芥案内板に対して効果的である。塵芥案内板を起立させた起立位置では、一対のサイドガードを格納状態とすることで、走行時等には一対のサイドガードが車両後方から見えないので見映えがよく、塵芥収集車の全長も長くならない。
【００１１】
第２の発明では、第１の発明において、
上記サイドガードは、上記塵芥案内板の内側面に沿って延びる回動軸を有し、
上記回動軸は、上記サイドガードを上記塵芥案内板に対して上記格納状態及び上記使用状態のいずれかにロック可能な係合部を備えている。
【００１２】
上記の構成によると、塵芥収集車の走行時には、塵芥案内板が起立位置でサイドガードを格納状態でロックすることで確実に固定される。このため、車両走行時に路面の段差による振動や車両加減速等によりサイドガードが塵芥案内板に繰り返し衝突するといった事態がなくなるので、車両走行時の騒音発生が防止される。また、塵芥収集時には、塵芥案内板が伏倒位置でサイドガードを使用状態でロックすることで確実に固定される。このため、サイドガードが、塵芥の塵芥案内板の車幅方向両縁部からの落下を確実に防止する。
【００１３】
第３の発明では、第２の発明において、
上記塵芥投入口を開閉すると共に閉状態で起立位置の塵芥案内板の先端部近傍に下縁が位置する開閉扉を備え、
上記塵芥案内板の自由端側の外側面には、上記塵芥積込装置を緊急停止させる緊急停止部材が設けられており、該緊急停止部材は、上記起立位置において該塵芥案内板の先端部に後方突出状に取り付けられて、該起立位置及び上記伏倒位置のいずれにおいても兼用可能に構成されている。
【００１４】
上記の構成によると、塵芥案内板を起立位置にした場合は、緊急停止部材が塵芥案内板から後方に突出しているので、塵芥案内板を起立位置にしたまま塵芥投入口の開閉扉だけ開いて塵芥積込作業を行ったとしても、緊急時には作業員が緊急停止部材を車両後方から容易に操作できる。一方、塵芥案内板を伏倒位置として積込作業を行う場合には、塵芥案内板の先端部が塵芥投入口より後方に大きく突出する形状であっても緊急停止部材がその先端部に下方に突出して配設されることとなり、作業員が容易に緊急停止部材を操作できる。すなわち、通常の塵芥収集車では、塵芥投入口の下縁よりも下方位置に緊急停止部材が設けられており、この通常の緊急停止部材の配設位置のままでは、伏倒位置で先端部が大きく後方に突出するように塵芥案内板が形成されている場合に緊急停止部材が操作できないおそれがあるが、本発明ではそのようなことがない。
【発明の効果】
【００１５】
以上説明したように、塵芥案内板の内側面の車幅方向両縁部にそれぞれ格納状態と使用状態とに対応可能な一対のサイドガードを設けたことにより、塵芥を塵芥投入口に誘導する塵芥案内板を塵芥がこぼれにくく、かつコンパクトに格納可能なものにすることができる。
【図面の簡単な説明】
【００１６】
【図１Ａ】本発明の実施形態にかかる伏倒位置の塵芥案内板、使用状態のサイドガード及びその周辺を示す側面図である。
【図１Ｂ】本発明の実施形態にかかる伏倒位置の塵芥案内板、使用状態のサイドガード及びその周辺を示す背面図である。
【図１Ｃ】本発明の実施形態にかかる伏倒位置の塵芥案内板、格納状態のサイドガード及びその周辺を示す平面図である。
【図２】塵芥案内板が起立位置の塵芥収集車を後方から見た斜視図である。
【図３】塵芥案内板が伏倒位置にあり、かつサイドガードが使用状態にあるときの塵芥投入箱を拡大して示す斜視図である。
【発明を実施するための形態】
【００１７】
以下、本発明の実施形態を図面に基づいて説明する。
【００１８】
−塵芥収集車の構成−
図２は本発明の実施形態にかかる塵芥収集車１を示し、この塵芥収集車１の車台２上には、後方開口部３を有する塵芥収集箱４が搭載されている。この塵芥収集箱４の後方開口部３の後面には、塵芥投入箱５が回動軸（図示せず）を中心に前後に回動可能に設けられている。図３にも示すように、塵芥投入箱５の後面には、矩形状の塵芥投入口６が上下にスライド移動自在な開閉扉７及び後述する塵芥案内板８により開閉可能に設けられている。開閉扉７の下側には、開閉を容易にするために、例えば一対のコ字状取っ手７ａが設けられている。
【００１９】
詳しくは図示しないが、この塵芥投入箱５内には、塵芥投入口６から投入された塵芥を塵芥収集箱４に押し込む塵芥積込装置が設けられている。この塵芥積込装置の形式は、回転板式でも、押込板式でもよく、特に限定されない。例えば、塵芥投入箱５の側方に設けた操作ボタン５ａにより塵芥積込装置を操作できるようになっている。
【００２０】
塵芥投入箱５の塵芥投入口６の下端（下縁部）には、図２に示すように、内側面８ａが隠れ、外側面８ｂが現れるように起立した起立位置Ａ又は、図１Ａ〜図１Ｃ及び図３に示すように、内側面８ａが上方を向くように開いた伏倒位置Ｂに起伏切換可能な塵芥案内板８が設けられている。塵芥案内板８は、例えば一対のダンパ８ｃで支持されており、クランプ具８ｄで起立位置Ａに固定可能となっている。また、塵芥案内板８にも取っ手８ｅが設けられている。
【００２１】
開閉扉７を閉状態にした場合には、その下縁が起立位置の塵芥案内板８の先端部近傍に位置するようになっている。
【００２２】
図１Ａ〜図１Ｃに示すように、起立位置Ａでは塵芥案内板８は、直立となっているが、塵芥が塵芥投入口６側に向かうように若干前方が下がるように傾いていてもよい。
【００２３】
そして、塵芥案内板８の車幅方向両縁部には、一対のサイドガード１０が設けられている。一対のサイドガード１０は、例えば、矩形枠状のガード本体１０ａと、その内側に張られた網部１０ｂと、ガード本体１０ａの一辺に設けられたガード用取っ手１０ｃとを備えている。一対のサイドガード１０は、それぞれ塵芥案内板８の内側面８ａに沿う格納状態Ｃ又は塵芥案内板８の内側面８ａ上に起立する使用状態Ｄに切換可能に設けられている。各サイドガード１０は、塵芥案内板８の内側面８ａに沿って延びる回動軸１１を有する。この回動軸１１は、例えば、中空のパイプ又は丸鋼よりなり、その一端側にサイドガード１０を塵芥案内板８に対して格納状態Ｃ及び使用状態Ｄのいずれかにロック可能な係合部としての係合ピン１１ａを備えている。図１Ｃに示すように、この係合ピン１１ａは、かんぬき構造となっており、回動軸１１の外径よりも若干大きい内径を有する丸パイプ部材１２に係合ピン１１ａがスライド移動可能で係合可能な溝１２ａが形成されている。もう一方の丸パイプ部材１３には、回動軸１１の他端側の係合部としての回転止板１１ｂが差し込まれる切欠１３ａが形成されており、回動軸１１の回転を防止可能になっている。
【００２４】
そして、図２等に示すように、塵芥案内板８の自由端側の外側面８ｂには、塵芥積込装置を緊急停止させる緊急停止部材９が設けられており、この緊急停止部材９は、起立位置Ａにおいて塵芥案内板８の先端部に後方突出状に取り付けられて、起立位置Ａ及び伏倒位置Ｂのいずれにおいても兼用可能に構成されている。
【００２５】
−サイドガードの使用手順−
図２に示すように、待機時、走行時など塵芥の積込作業を行わないときには、開閉扉７は下げられて閉じられ、塵芥案内板８も起立されて起立位置Ａにある。このとき、図示していないが、一対のサイドガード１０は、内側面８ａに沿った格納状態Ｃとなっている。そして、緊急停止部材９は、塵芥案内板８の起立位置Ａにおいて、この塵芥案内板８の上端付近に位置しており操作ボタン５ａの近くにあることなどから非常に押しやすくなっている。このように、塵芥案内板８を起立させた起立位置Ａでは、一対のサイドガード１０を格納状態Ｃとして内側面８ａ側に配置することで、走行時等に一対のサイドガード１０が見えないので見映えがよく、塵芥収集車１の全長も長くならない。また塵芥収集車１の走行時には、塵芥案内板８が起立位置Ａでサイドガード１０は、係合ピン１１ａ及び回転止板１１ｂにより格納状態Ｃで確実に固定されるため、走行時の騒音発生が防止される。
【００２６】
次いで、塵芥収集時には、図１Ａ〜図１Ｃ及び図３に示すように、クランプ具８ｄによる固定を解除し、図１Ｃの状態に塵芥案内板８を回動させて略水平として伏倒位置にする。この伏倒位置では、塵芥案内板８の先端部は、塵芥投入口６から大きく後方に突出する。また、このとき、図１Ａに示すように、塵芥案内板８は、一対のダンパ８ｃで支持されている。
【００２７】
次いで、図１Ｃに示すように、回動軸１１を２点鎖線の位置まで手前に（後方に）第１ストロークＳ１だけ水平移動させて格納状態Ｃのロックを解除する。
【００２８】
次いで、回動軸１１を中心にサイドガードを回転させて図１Ａの２点鎖線で示すように、起立させる。次いで、係合ピン１１ａを第２ストロークＳ２だけ水平方向に前進させて図１Ａ及び図３に実線で示すように、使用状態Ｄの位置に固定する。なお、この第２ストロークＳ２は、第１ストロークＳ１よりも短くしているが、同じであってもよいし、長くてもよい。塵芥収集時には、直接塵芥を塵芥投入口６に投げ込んでもよいが、塵芥案内板８の上に一端預けてもよい。このとき、塵芥案内板８が伏倒位置Ｂで、サイドガード１０が使用状態Ｄで係合ピン１１ａ及び回転止板１１ｂにより確実に固定されているため、サイドガード１０が、塵芥の塵芥案内板８の左右両縁部からの落下を確実に防止する。また、図３に示すように、緊急停止部材９は、塵芥案内板８の伏倒位置Ｂにおいて、この塵芥案内板８の先端部に配置されているので、このときも非常に操作しやすくなっている。
【００２９】
このように、塵芥案内板８を、その内側面８ａが上方を向くように開いた伏倒位置Ｂにおいて、その内側面８ａの左右両縁部に一対のサイドガード１０を使用状態Ｄに起立させることにより、塵芥案内板８に投入された塵芥が塵芥案内板８の内側面８ａ上を滑っても、サイドガード１０に当たって左右からこぼれ落ちない。
【００３０】
以上説明したように、塵芥案内板８の左右両縁部にそれぞれ起立位置Ａと伏倒位置Ｂとに対応可能に格納可能な一対のサイドガード１０を設けたことにより、塵芥を塵芥投入口６に誘導する塵芥案内板８を塵芥がこぼれにくく、かつコンパクトに格納可能なものにすることができる。
【００３１】
なお、以上の実施形態は、本質的に好ましい例示であって、本発明、その適用物や用途の範囲を制限することを意図するものではない。
【符号の説明】
【００３２】
１      塵芥収集車
２      車台
３      後方開口部
４      塵芥収集箱
５      塵芥投入箱
５ａ    操作ボタン
６      塵芥投入口
７      開閉扉
７ａ    コ字状取っ手
８      塵芥案内板
８ａ    内側面
８ｂ    外側面
８ｃ    ダンパ
８ｄ    クランプ具
８ｅ    取っ手
９      緊急停止部材
１０      サイドガード
１０ａ    ガード本体
１０ａ    内側面
１０ｂ    網部
１０ｃ    ガード用取っ手
１１      回動軸
１１ａ    係合ピン（係合部）
１１ｂ    回転止板（係合部）
１２      丸パイプ部材
１２ａ    溝
１３      丸パイプ部材
１３ａ    切欠
【図１Ａ】
2019055841.tif 000003
【図１Ｂ】
2019055841.tif 000004
【図１Ｃ】
2019055841.tif 000005
【図２】
2019055841.tif 000006
【図３】
2019055841.tif 000007